(57)【要約】【課題】駐車場、駐輪場或いは緊急車両導入路、遊歩道、通路、多目的広場、ビル屋上などに好適な芝生などの植物を車両の通行や人間の歩行などの踏圧から保護し、芝生の育成に最適な水分量や温度を保持するための緑化パネル及び緑化パネルの敷設構造を提供する。【解決手段】上部の網状板とそれを支える梁部、パネルの外形となる外枠部からなり、網状板、梁部、外枠部がそれぞれ溶接等により接合され、地表に配設するとき、結合するパネル枚数により異なるジョイントにより結合され、敷設部分の形状に合わせて容易に敷設することができ、外枠部により芝の育成に必要な水分を貯え、雨水等での土壌の流失を防ぐ事ができ、又、外枠部内に給水管、温度調節管、水分センサー、温度センサーを持つ事で土壌の水分量や温度を芝生の育成に最適な状態に保持する事ができる緑化パネル及び緑化パネルの敷設構造。【選択図】　図１
2004124657.tif 000002
【特許請求の範囲】
【請求項１】
芝生を植え込まれた地面または、芝生用土が敷きならされた地面に敷設し、上面にメッシュの粗い溶接金網やエクスパンドメタル、メッシュ状のプラスティック等を使用し、上面にかかる荷重を平均して下部方向に分散することで、自動車等の通行が可能にすることを特徴とする緑化パネル。
【請求項２】
請求項１記載の緑化パネル同士が接合する緑化パネルの枚数によりことなるジョイントによって接合され、芝生を植え込まれた地面に配設または、配設された緑化パネルに芝生の栽培に適した土を投入することを特徴とする緑化パネルの敷設構造。
【請求項３】
請求項１記載の緑化パネルの枠部に、芝生への給水のための給水管、内部に冷水や温水を流す事により芝の育成に最適な温度を保つための温度調節管、水分量や温度を芝の育成に最適な状態に自動的に保つための水分量センサーや温度センサーのすべてまたはいずれかを装備した緑化パネル。
【発明の詳細な説明】
【０００１】
【発明の属する技術分野】本発明は、芝生を保護するために、荷重を分散するメッシュ状の部材を使用した緑化パネル及び緑化パネルの敷設構造に関するものである。
【０００２】
【従来の技術】ヒートアイランド現象対策等の環境対策のために芝生等を敷き詰めた駐車場等の緑化駐車場をつくることが試みられているが、芝生等を敷き詰めた軟弱地盤では自動車等の重量に耐える事ができず、不陸が発生してしまったり、圧力や摩擦により芝生が育成できないという問題があった。また、ビル屋上等では、水分量や温度の管理の問題で芝生の育成に失敗する事が多かった。
【０００３】
【発明が解決しようとする課題】簡単な工事で荷重の分散と摩擦の防止効果で芝生を保護し自動車等の通行が可能な状態を実現し、芝生の育成に適した水分量や温度の自動管理ができる緑化パネル及び緑化パネルの敷設構造を提供する事が本発明の課題である。
【０００４】
【課題を解決するための手段】本発明では、上面にメッシュの粗い溶接金網やエクスパンドメタル、メッシュ状のプラスティック等を使用することで、芝生を保護し自動車等の通行ができるようにし、外枠部の内部に給水管や温度調節管、センサーを配設することで、芝生の育成に適した水分量や温度を自動的に保持できるようにした。
【０００５】
【発明の実施の形態】以下、本発明の実施の形態について図面を参照して説明する。
【０００６】図１は本発明緑化パネル敷設の実施形態の一例を示す平面図である。１は緑化パネルであり、２、３、４、５は緑化パネル１同士を結合するジョイントである。緑化パネルは、４種類のジョイントにより互いに結合され、地表に配設されている。ジョイント２は、４枚の緑化パネル１を接合するために使用し、ジョイント３は、３枚の緑化パネル１を接合するために使用し、ジョイント４は、２枚の緑化パネル１を結合するために使用する。ジョイント５は、結合された緑化パネルの集合のコーナーの部分で使用され、緑化パネル同士の結合には使用されないが緑化パネルの結合用の凹みを埋める役目を果たす。
【０００７】図２は本発明緑化パネルの構造の一例を示す断面図である。６は上面のエクスパンドメタル等の網状板で、芝生の保護と過重分散をするためのものである。７は外枠部であり、緑化パネルの外枠を形成する物で、芝生の育成に必要な水分を保ち、また雨水等による土壌の流失を防ぐ効果がある。８は梁部であり、６の上面エクスパンドメタル等の補強と荷重分散をするためのものである。網状板６、外枠部７、梁部８はそれぞれ溶接等で接合されている。
【０００８】図３は本発明緑化パネルの外枠部構造の一例を示す断面図である。９は外枠部の本体であり、１０は芝生への給水のための給水管、１１は内部に冷水や温水を流す事により芝の育成に最適な温度を保つための温度調節管、１２は水分量を芝の育成に最適な状態に保つための水分量センサーであり、１３は温度を芝の育成に最適な状態に保つための温度センサーである。水分量センサー１２が感知したデータより、自動的に給水管１０より水が補給され緑化パネル内の水分量が芝生の育成に最適な状態に調節され、温度センサー１３が感知したデータより自動的に温度調節管１１内を冷水や温水が流れ、緑化パネル内の温度が芝生の育成に最適な状態に調節される。また、給水管１０を使用した水の補給や、温度調節管１１を使用した温度調節は水分量センサー１２や温度センサー１３を使用せず手動で行ってもよい。
【０００９】次に本発明緑化パネルの施工方法について説明する。土地の凹凸を均し、この土地の上に砕石を敷設し、この砕石路盤を不陸調整し、表面を平坦にした上にクッション砂を敷きならし、図１に示したように緑化パネル１をジョイント２、３、４、５で結合し、地表に敷設する。緑化パネルの網状板より、芝生の栽培に適した土を緑化パネル１を覆うように投入する。この土の上に芝生を貼り、散水しながら転圧し芝生を土に定着させる。このように施工された芝生面は、自動車等の通行によっても不陸の発生が無く、芝生の擦れによる傷みもない。
【００１０】本発明緑化パネルの材質は特に限定されるものではないが、鋳鉄や鋼などから作製されれば、強度耐久性に優れ、大型車両などの踏圧によっても破壊されることが無く、好適なものとなされるが、小型車両の通行や人間による歩行のみに限定されるような場合は、上面素材はプラスティック等でもよい。
【００１１】
【発明の効果】上述の如く、本発明請求項１記載の緑化パネルは、上部の網状板とそれを支える梁部、パネルの外周の外枠によって構成され、それぞれ接合された構造になっており、車両通行による荷重の分散と芝生の保護、芝生の育成に必要な水分を保持する事ができ、さらに雨水等での土壌の流失を防ぐ事ができる。
【００１２】又、本発明の緑化パネルを駐車場や通路およびビル屋上等に使用する事で、都市部の緑化につながりヒートアイランド現象の対策としても効果が期待できる。
【図面の簡単な説明】
【図１】緑化パネル敷設の実施形態の一例を示す平面図である。
【図２】緑化パネルの構造の一例を示す断面図である。
【図３】緑化パネルの外枠部構造の一例を示す断面図である。
【符号の説明】
１　　緑化パネル
２　　４枚の緑化パネルを結合するジョイント
３　　３枚の緑化パネルを結合するジョイント
４　　２枚の緑化パネルを結合するジョイント
５　　緑化パネルコーナーに取り付けるジョイント
６　　上面の網状板
７　　外枠部
８　　梁部
９　　外枠部本体
１０　給水管
１１　温度調節管
１２　水分量センサー
１３　温度センサー
【図１】
2004124657.tif 000003
【図２】
2004124657.tif 000004
【図３】
2004124657.tif 000005